(57)【要約】【課題】パチンコ機用遊技部品が有する可動体とステップモータの出力軸とを連結する歯車装置においては、従来のように目印同士を合わせるようにして複数の歯車を取付ベースに組付ける場合、作業ミスにより目印同士が合っていない状態に組付けられる場合がある。この場合、可動体を正確に角度制御することができなくなる。【解決手段】パチンコ機用遊技部品が有する可動体とステップモータの出力軸とを連結する歯車装置において、複数の歯車１〜４とこれら歯車を回転可能に支持する取付ベース５とを有し、歯車１〜４には、可動体の可動原点位置とステップモータの出力軸の駆動原点位置とを合わせるための原点位置合わせ孔１０が形成され、取付ベース５には、歯車の原点位置合わせ孔に挿入されて歯車の組付位置を決める位置決め作業棒１１，１１…を挿脱するための位置決め作業孔１２，１２…が形成されたものとした。【選択図】　　　　図１
2004065777.tif 000002
【特許請求の範囲】
【請求項１】
パチンコ機用遊技部品が有する可動体とステップモータの出力軸とを連結する歯車装置において、複数の歯車とこれら歯車を回転可能に支持する取付ベースとを有し、歯車には、可動体の可動原点位置とステップモータの出力軸の駆動原点位置とを合わせるための原点位置合わせ孔が形成され、取付ベースには、歯車の原点位置合わせ孔に挿入されて歯車の組付位置を決める位置決め作業棒を挿脱するための位置決め作業孔が形成されたことを特徴とする歯車装置。
【請求項２】
パチンコ機用遊技部品は左右に２つの可動体を備え、取付ベースに組付けられる歯車列は、２つの可動体を左右対称に駆動させる構成としたことを特徴とする請求項１に記載の歯車装置。
【請求項３】
パチンコ機用遊技部品が有する可動体とステップモータの出力軸とを連結する歯車装置の複数の歯車を歯車装置の取付ベースに回転可能に組付けるための歯車装置における歯車の組付方法において、歯車に、可動体の可動原点位置とステップモータの出力軸の駆動原点位置とを合わせるための原点位置合わせ孔を形成し、取付ベースに、歯車の原点位置合わせ孔に挿入されて歯車の組付位置を決める位置決め作業棒を挿脱するための位置決め作業孔を形成し、この取付ベースに形成された位置決め作業孔に位置決め作業棒を挿入し、この取付ベースの位置決め作業孔から突出した位置決め作業棒に歯車の原点位置合わせ孔を挿入して歯車を取付ベースに組付けた後に、上記位置決め作業棒を原点位置合わせ孔及び位置決め作業孔から引き抜くことを特徴とする歯車装置における歯車の組付方法。
【請求項４】
パチンコ機用遊技部品が有する可動体とステップモータの出力軸とを連結する歯車装置の複数の歯車を歯車装置の取付ベースに回転可能に組付けるための歯車装置における歯車の組付装置において、歯車に形成された原点位置合わせ孔と取付ベースに形成された位置決め作業孔とに挿脱する位置決め作業棒を備えたことを特徴とする歯車装置における歯車の組付装置。
【請求項５】
複数の位置決め作業棒は平板に取付けられて成ることを特徴とする請求項４に記載の歯車装置における歯車の組付装置。
【発明の詳細な説明】
【０００１】
【発明の属する技術分野】
本発明は歯車装置、特に、パチンコ機用遊技部品の可動体とステップモータの出力軸とを連結する歯車装置及び歯車装置における歯車の組付方法、組付装置に関する。
【０００２】
【従来の技術】
図３はステップモータにより制御される可動体を有するパチンコ機用遊技部品としての可変入賞装置１００を示す正面図であり、この可変入賞装置１００は、取付ベース１０１を介して図示しない遊技盤に取付けられるものであり、センター役物とも呼ばれる。遊技盤に設けられた図示しない始動口に球が入賞すると、図示しない制御装置が可変入賞装置１００の左右一対の羽根１０２，１０２を開閉し、球が上部入口１０３を介して可変入賞装置１００の内部に導入され得る状態になる。１０４は球カウントゲート１０５を介して落下してきた球を可変入賞装置１００の内部奥側に導く傾斜板である。球カウントゲート１０５は内部に球検出器を備えたゲートであり、羽根１０２，１０２に対応して左右一対で設けられている。傾斜板１０４の奥側には周面下方に複数の開口１０６を有する円筒状回転体１０７が設けられ、この円筒状回転体１０７の左右両側の位置には球貯留装置１０８が設けられ、また、傾斜板１０４の左右側方位置には傘状回転体１０９が設けられている。上記円筒状回転体１０７、球貯留装置１０８、傘状回転体１０９の駆動制御態様としては種々有り得る。例えば、制御装置により、通常は、円筒状回転体１０７及び傘状回転体１０９を単純に回転させるようにしておいてもよいし、所定周期で回転・停止を繰り返すようにしておいてもよい。球が始動口に入賞して羽根１０２，１０２が開閉すると、球は球カウントゲート１０５及び傾斜板１０４を介して円筒状回転体１０７の開口１０６に入る可能性があり、この場合、球は特定入賞誘導路１１０に落下し、特定入賞部１１１に入賞する可能性が高くなる。また、円筒状回転体１０７の開口１０６に入らなかった球は円筒状回転体１０７の左右側の落下口１１２に導かれて下部傾斜板１１３上に落下するが、この場合、特定入賞部１１１に入賞する可能性は低い。球が特定入賞部１１１に入賞したら特別遊技状態となり、制御装置は、例えば、羽根１０２，１０２を頻繁に開閉させるとともに、傘状回転体１０９の傘部１１９（図４参照）が傾斜板１０４の中央方向に突出するような状態に傘状回転体１０９を停止させる。また、開口１０６が図３に示すような正面に位置する状態に円筒状回転体１０７を停止させる。また、球貯留装置１０８を駆動して落下口１１２を塞ぐようにして球を傾斜板１０４上に貯留できるようにする。以上により、球カウントゲート１０５を介して傾斜板１０４上に落下する球は傘状回転体１０９の傘部１１９の外周面１２０（図４参照）にガイドされて円筒状回転体１０７の開口１０６に導かれる可能性が高くなり、また、開口１０６に入らなくても球貯留装置１０８により傾斜板１０４に球が貯留され、この貯留された球群により開口１０６への誘導路が形成されることで後続の球を円筒状回転体１０７の開口１０６に導く可能性が高くなる。また、特別遊技状態の終了時点で球貯留装置１０８を解除した時は、傾斜板１０４上に貯留されていた複数の球が連続して下部傾斜板１１３上に落下するため、後に落下した球が特定入賞部１１１に入賞する可能性がある。以上説明した遊技部品としての可変入賞装置１００は、特開２００１−３３４０３５に開示されている。
【０００３】
図４に示すように、可動体としての傘状回転体１０９は軸１３０の一端に取付けられ、軸１３０の他端には従動歯車１４０が取付けられている。この傘状回転体１０９の軸１３０に設けられた従動歯車１４０は、歯車装置１５０の出力側の従動歯車１５１に噛み合わされ、傘状回転体１０９は従動歯車１４０を介して伝達されるステップモータ１６０の出力軸１６１の回転力を受けて所定角度回転する。即ち、歯車装置１５０は、複数の歯車１５１，１５１，１５２，１５３と、この複数の歯車を回転可能に支持する取付ベース１７０とを備え、ステップモータ１６０により回転する駆動歯車１５３の回転を従動歯車１５２，１５１，１５１，１４０，１４０を介して傘状回転体１０９，１０９に伝達して傘状回転体１０９，１０９を所定角度回転させる。
【０００４】
ところで、制御装置からの指示で駆動するステップモータ１６０により可動体としての傘状回転体１０９を回転制御する場合、ステップモータ１６０の出力軸１６１の駆動原点位置と傘状回転体１０９の回転原点位置とを合わせる必要がある。このため、図５に示すように、各歯車に目印２００を設け、この目印２００が合うように歯車１５３，１５２，１５１，１５１を取付ベース１７０に取付け、取付ベース１７０のカバー１７１（図４参照）を取付ベース１７０に形成されたねじボス１７２を介してねじ等で組付ける。そして、出力側の従動歯車１５１の目印２００と傘状回転体１０９側の従動歯車１４０の目印２００とが合うように組付けることで、ステップモータ１６０と傘状回転体１０９の原点位置が合うことになる。尚、歯車１５３，１５２，１５１，１５１が組付けられた取付ベース１７０は取付フランジ１７３を介して可変入賞装置１００の裏側に取付けられる。また、取付ベース１７０には壁１７５が形成されており、この壁１７５で区画される歯車収容部１７６に歯車１５３，１５２，１５１，１５１が組付けられ、取付ベース１７０の底１７７には、従動歯車１５２，１５１，１５１の回転軸１５５，…及び駆動歯車１５３の支承軸１５３ｂが挿入される挿入孔１７８，…及び１７９が形成されている。
【０００５】
【発明が解決しようとする課題】
目印２００同士を合わせるようにして複数の歯車を取付ベース１７０に組付ける場合、作業ミスにより目印２００同士が合っていない状態に組付けられる場合がある。この場合、ステップモータ１６０の出力軸１６１と傘状回転体１０９の原点位置が合っていないので、傘状回転体１０９を正確に角度制御することができなくなる。
【０００６】
【課題を解決するための手段】
本発明の歯車装置は、パチンコ機用遊技部品が有する可動体とステップモータの出力軸とを連結する歯車装置において、複数の歯車とこれら歯車を回転可能に支持する取付ベースとを有し、歯車には、可動体の可動原点位置とステップモータの出力軸の駆動原点位置とを合わせるための原点位置合わせ孔が形成され、取付ベースには、歯車の原点位置合わせ孔に挿入されて歯車の組付位置を決める位置決め作業棒を挿脱するための位置決め作業孔が形成されたものとしたので、ステップモータの出力軸と可動体の原点位置が合うように取付ベースに複数の歯車を簡単かつ正確に組付けることができる歯車装置が得られる。また、パチンコ機用遊技部品は左右に２つの可動体を備え、取付ベースに組付けられる歯車列は、２つの可動体を左右対称に駆動させる構成としたので、２つの可動体を左右対称に正確に角度制御できる精度の高い歯車装置を簡単かつ確実に得ることができる。
また、歯車装置における歯車の組付方法は、本発明のパチンコ機用遊技部品が有する可動体とステップモータの出力軸とを連結する歯車装置の複数の歯車を歯車装置の取付ベースに回転可能に組付けるための歯車装置における歯車の組付方法において、歯車に、可動体の可動原点位置とステップモータの出力軸の駆動原点位置とを合わせるための原点位置合わせ孔を形成し、取付ベースに、歯車の原点位置合わせ孔に挿入されて歯車の組付位置を決める位置決め作業棒を挿脱するための位置決め作業孔を形成し、この取付ベースに形成された位置決め作業孔に位置決め作業棒を挿入し、この取付ベースの位置決め作業孔から突出した位置決め作業棒に歯車の原点位置合わせ孔を挿入して歯車を取付ベースに組付けた後に、上記位置決め作業棒を原点位置合わせ孔及び位置決め作業孔から引き抜くことにより、歯車装置の取付ベースに対する複数の歯車の組付作業ミスを防げ、取付ベースに複数の歯車を簡単かつ正確に組付けることができる。
また、歯車装置における歯車の組付装置は、パチンコ機用遊技部品が有する可動体とステップモータの出力軸とを連結する歯車装置の複数の歯車を歯車装置の取付ベースに回転可能に組付けるための歯車装置における歯車の組付装置において、歯車に形成された原点位置合わせ孔と取付ベースに形成された位置決め作業孔とに挿脱する位置決め作業棒を備えたので、取付ベースに対する複数の歯車の組付作業を正確に行える。また、複数の位置決め作業棒は平板に取付けられて成るものとしたので、複数の位置決め作業棒を複数の位置決め作業孔に一度に挿入でき、取付ベースに対する複数の歯車の組付作業の迅速化が図れる。
【０００７】
【発明の実施の形態】
図１は本発明の実施形態による歯車装置及び歯車装置における歯車の組付方法を示す分解斜視図であり、図２（ａ）は歯車の組付方法を示す平面図、図２（ｂ）は図２（ａ）のＡ−Ａ断面図である。尚、図３〜５の従来例と同一又は相当部分については同一符号を付してその詳説を省略する。各図において、１〜４は歯車装置の歯車、５は歯車装置の取付ベース、６は取付ベース５のカバー、７はステップモータ、８は歯車装置の歯車の組付装置である。実施形態の歯車装置は、可変入賞装置１００が有する可動体としての傘状回転体１０９とステップモータ７の出力軸７１とを連結するものであって、複数の歯車１〜４とこれら歯車１〜４を回転可能に支持する取付ベース５とを有するものである。歯車１はステップモータ７により駆動する駆動歯車、２〜４は駆動歯車１の回転を可動体としての傘状回転体１０９の従動歯車１４０に伝達する従動歯車である。各歯車１〜４には、傘状回転体１０９の回転原点位置とステップモータ７の出力軸７１の駆動原点位置とを合わせるための原点位置合わせ孔１０が設けられている。原点位置合わせ孔１０は歯車を貫通する貫通孔である。取付ベース５の底１７７には、歯車１〜４の原点位置合わせ孔１０に挿入されて歯車１〜４の組付位置を決める位置決め作業棒１１，１１…を挿脱するための位置決め作業孔１２，１２…が設けられている。位置決め作業孔１２，１２…は取付ベース５の底１７７を貫通する貫通孔である。位置決め作業棒１１，１１…は、取付ベース５に設けられた位置決め作業孔１２，１２…の位置に対応するように平板１３に取付けられて成り、この位置決め作業棒１１，１１…と平板１３とで組付装置８を構成する。
【０００８】
組付方法は、まず、取付ベース５の位置決め作業孔１２，１２…に組付装置８の位置決め作業棒１１，１１…を挿入する。そして、この取付ベース５の位置決め作業孔１２，１２…から突出した位置決め作業棒１１，１１…に各歯車１〜４の原点位置合わせ孔１０を挿入することにより、各歯車１〜４が位置決めされる。そして、取付ベース５のカバー６を組付ける。このように、歯車１〜４を取付ベース５に組付けてカバー６を取付けた後に、位置決め作業棒１１，１１…を原点位置合わせ孔１０，１０…及び位置決め作業孔１２，１２から引き抜く。その後、駆動歯車１にステップモータ７を取付け、取付ベース５に組付けられた出力側の従動歯車３，４の目印２００と傘状回転体１０９側の従動歯車１４０の目印２００とが合うように取付ベース５を可変入賞装置１００の裏側に組付けることで、ステップモータ７の出力軸７１と傘状回転体１０９の原点位置が合うことになる。
【０００９】
実施形態によれば、歯車装置の取付ベース５に対する複数の歯車１〜４の組付作業ミスを防げ、出力軸７１と傘状回転体１０９の原点位置が合うように取付ベース５に複数の歯車１〜４を簡単かつ正確に組付けることができる。また、出力軸７１と傘状回転体１０９の原点位置が合うように取付ベース５に対して複数の歯車１〜４を正確に組付けることができ、傘状回転体１０９を正確に角度制御することができる歯車装置が得られる。また、複数の位置決め作業棒１１，１１…を平板１３に取付けた組付装置８を用いるので、複数の位置決め作業棒を１１，１１…複数の位置決め作業孔１２，１２…に対して一度に挿入できるので、取付ベース５に対する複数の歯車１〜４の組付作業の迅速化が図れる。
また、可変入賞装置１００に左右一対に設けられる傘状回転体１０９，１０９を左右対称に回転させるために、取付ベース５に、ステップモータ７の出力軸７１により回転する駆動歯車１と３つの従動歯車２〜４とから成る歯車列が組付けられた歯車装置としたので、２つの傘状回転体１０９，１０９を左右対称に正確に回転角度制御できる精度の高い歯車装置を簡単かつ確実に得ることができる。このように、２つの傘状回転体１０９，１０９を左右対称に正確に回転角度制御できる精度の高い歯車装置を簡単かつ確実に得られることは、左右対称に可動体が設けられることが多い遊技部品において有意義である。
また、ステップモータ７の出力軸７１の先端側の断面形状は例えばＤ字形状等の異形先端７１ｔに形成され、駆動歯車１にはこの出力軸７１の異形先端７１ｔを嵌め込むための異形孔１ａが形成されており、出力軸７１の先端側を駆動歯車１の異形孔１ａに嵌合して、モータ本体は図示しない取付フランジを介してカバー６に設けられた図示しない取付ボスに取付けられる。よって、位置決めされた駆動歯車１の異形孔１ａに合わせて出力軸７１の異形先端７１ｔを嵌合すればよいので、駆動歯車１に対するステップモータ７の組付も容易になる。
尚、本発明は、少なくとも駆動歯車と１以上の従動歯車を組付けた歯車装置、この歯車装置の組付方法、組付装置に適用できる。また、傘状回転体１０９側の歯車１４０をも組付けた歯車装置、この歯車装置の組付方法、組付装置にも適用できる。この場合、傘状回転体１０９の軸１３０の他端を異形に形成し、傘状回転体１０９側の歯車１４０には傘状回転体１０９の軸１３０の異形他端を嵌め込む異形取付孔を形成しておけばよい。
【図面の簡単な説明】
【図１】本発明の実施形態による歯車装置及び歯車装置における歯車の組付方法を示す分解斜視図。
【図２】（ａ）は組付装置を用いて歯車を取付ベースに組付けた状態を上から見た断面図、（ｂ）は（ａ）のＡ−Ａ断面図である。
【図３】従来のパチンコ機用遊技部品としての可変入賞装置の正面図。
【図４】従来の可変入賞装置に設けられる傘状回転体を駆動するための歯車装置を示す図。
【図５】（ａ）は従来の組付方法により歯車を取付ベースに組付けた状態を上から見た断面図、（ｂ）は（ａ）のＢ−Ｂ断面図である。
【符号の説明】
１〜４　歯車、５　取付ベース、７　ステップモータ、８　組付装置、
１０　原点位置合わせ孔、１１　位置決め作業棒、１２　位置決め作業孔、
１３　平板、７１　ステップモータの出力軸、
１００　可変入賞装置（遊技部品）、１０９　傘状回転体（可動体）。
【図１】
2004065777.tif 000003
【図２】
2004065777.tif 000004
【図３】
2004065777.tif 000005
【図４】
2004065777.tif 000006
【図５】
2004065777.tif 000007